【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
少なくとも出発駅と目的駅とを含む時刻表表示条件を設定する条件設定手段と、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、
前記時刻表を表示する表示手段と、
を備えることを特徴とする時刻表表示システム。
【請求項２】
前記最適交通機関経路探索手段は、前記最適交通機関経路として、
（Ａ）一の交通機関経路と同一時刻または前記一の交通機関経路よりも遅い時刻に前記出発駅を出発し、かつ前記一の交通機関経路よりも早い時刻に前記目的駅に到着する他の交通機関経路が存在しない前記一の交通機関経路、
（Ｂ）一の交通機関経路よりも遅い時刻に前記出発駅を出発し、かつ前記一の交通機関経路と同一時刻または前記一の交通機関経路よりも早い時刻に前記目的駅に到着する他の交通機関経路が存在しない前記一の交通機関経路、
の２つの条件を満たす前記一の交通機関経路を探索することを特徴とする請求項１に記載の時刻表表示システム。
【請求項３】
前記最適交通機関経路探索手段は、前記出発駅の所定の前記出発時刻からダイヤにより決定される所定時間間隔毎に前記最適交通機関経路を探索することを特徴とする請求項１または２に記載の時刻表表示システム。
【請求項４】
前記最適交通機関経路探索手段は、前記出発駅の所定の前記出発時刻に対して前記最適交通機関経路を探索し、次いで、１つ前に探索された前記最適交通機関経路の前記出発時刻を基準として、次の前記最適交通機関経路を探索することを特徴とする請求項１〜請求項３のいずれか１項に記載の時刻表表示システム。
【請求項５】
前記条件設定手段は、前記時刻表表示条件として指定時間帯を設定し、
前記最適交通機関経路探索手段は、前記指定時間帯の始点を基準時刻として前記最適交通機関経路を探索し、前記基準時刻が前記指定時間帯の終点を超えた時に探索を打ち切ることを特徴とする請求項１〜請求項４のいずれか１項に記載の時刻表表示システム。
【請求項６】
前記条件設定手段は、前記出発駅と前記目的駅とを結ぶ交通機関の路線と必要に応じて交通機関の乗換駅とで構成される、少なくとも１つの交通機関経路の道筋を前記時刻表表示条件として設定する道筋設定手段を備えることを特徴とする請求項１〜請求項５のいずれか１項に記載の時刻表表示システム。
【請求項７】
前記最適交通機関経路探索手段は、前記出発駅と前記目的駅とを結ぶ交通機関の路線と必要に応じて交通機関の乗換駅とで構成される、複数の交通機関経路の道筋につき、前記最適交通機関経路を探索し、
前記時刻表編集手段は、前記複数の交通機関経路の道筋の前記最適交通機関経路につき、１つの時刻表形式に編集して前記時刻表を作成することを特徴とする請求項１〜請求項６のいずれか１項に記載の時刻表表示システム。
【請求項８】
前記表示手段は、前記時刻表編集手段が前記複数の交通機関経路の道筋の前記最適交通機関経路について前記時刻表を編集した場合、異なる道筋の前記最適交通機関経路の前記出発時刻を互いに異なる表示態様で識別可能に表示することを特徴とする請求項７に記載の時刻表表示システム。
【請求項９】
前記条件設定手段は、前記表示手段に表示する前記時刻表の時刻を所定時間だけ前の時刻にずらすためのオフセット時間を設定するオフセット時間設定手段を有し、
前記オフセット時間が設定された場合、前記時刻表編集手段は、探索された前記最適交通機関経路における前記出発駅の前記出発時刻から、前記オフセット時間だけ前の時刻にずらした時刻を、時刻表形式に編集して前記時刻表を作成することを特徴とする請求項１〜請求項８のいずれか１項に記載の時刻表表示システム。
【請求項１０】
前記オフセット時間設定手段は、出発地設定手段と、出発地から出発駅までの所要時間を算出する時間算出手段とを備え、算出された所要時間を前記オフセット時間として設定することを特徴とする請求項９に記載の時刻表表示システム。
【請求項１１】
少なくとも出発地と目的地とを含む時刻表表示条件を設定する条件設定手段と、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、
前記時刻表を表示する表示手段と、
を備えることを特徴とする時刻表表示システム。
【請求項１２】
前記全体経路探索手段は、前記最適全体経路として、
（Ｃ）一の全体経路と同一時刻または前記一の全体経路よりも遅い時刻に出発地を出発し、かつ前記一の全体経路よりも早い時刻に目的地に到着する他の全体経路が存在しない前記一の全体経路、
（Ｄ）一の全体経路よりも遅い時刻に出発地を出発し、かつ前記一の全体経路と同一時刻または前記一の全体経路よりも早い時刻に目的地に到着する他の全体経路が存在しない前記一の全体経路、
の２つの条件を満たす前記一の全体経路を探索することを特徴とする請求項１１に記載の時刻表表示システム。
【請求項１３】
前記全体経路探索手段は、前記出発地の所定の前記出発時刻から前記出発地の最寄り駅のダイヤにより決定される所定時間間隔毎に前記最適全体経路を探索することを特徴とする請求項１１または請求項１２に記載の時刻表表示システム。
【請求項１４】
前記全体経路探索手段は、前記出発地の所定の前記出発時刻に対して前記最適全体経路を探索し、次いで、１つ前に探索された前記最適全体経路の前記出発時刻を基準として、次の前記最適全体経路を探索することを特徴とする請求項１１〜請求項１３のいずれか１項に記載の時刻表表示システム。
【請求項１５】
前記条件設定手段は、前記時刻表表示条件として指定時間帯を設定し、
前記全体経路探索手段は、前記指定時間帯の始点を基準時刻として前記最適全体経路を探索し、前記基準時刻が前記指定時間帯の終点を超えた時に探索を打ち切ることを特徴とする請求項１１〜請求項１４のいずれか１項に記載の時刻表表示システム。
【請求項１６】
前記時刻表表示システムは、前記時刻表を記憶する時刻表記憶手段を備え、
前記表示手段は、前記時刻表記憶手段に記憶された前記時刻表を表示することを特徴とする請求項１〜請求項１５のいずれか１項に記載の時刻表表示システム。
【請求項１７】
前記時刻表表示システムは、前記表示手段に表示されている前記時刻表の前記各出発時刻に対して、ユーザが評価を付与することのできる評価付与手段を備え、
前記時刻表記憶手段は、前記時刻表とともに前記評価を記憶し、
前記表示手段は、前記時刻表記憶手段に記憶された前記時刻表を表示する際に、前記評価が付与されている前記出発時刻に対し、前記評価が付与されている旨、前記評価自体の少なくとも一方を関連づけて表示することを特徴とする請求項１６に記載の時刻表表示システム。
【請求項１８】
少なくとも出発駅と目的駅とを含む時刻表表示条件を設定する条件設定手段と、編集された時刻表を表示する表示手段と、を備えた端末装置にネットワークを介して接続され、前記端末装置に経路探索結果を送信する経路探索サーバであって、
前記経路探索サーバは、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して前記時刻表を作成する時刻表編集手段と、
を備えることを特徴とする経路探索サーバ。
【請求項１９】
少なくとも出発地と目的地とを含む時刻表表示条件を設定する条件設定手段と、編集された時刻表を表示する表示手段と、を備えた端末装置にネットワークを介して接続され、前記端末装置に経路探索結果を送信する経路探索サーバであって、
前記経路探索サーバは、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して前記時刻表を作成する時刻表編集手段と、
を備えることを特徴とする経路探索サーバ。
【請求項２０】
経路探索用のネットワークデータを参照して出発駅から目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、を備える経路探索サーバにネットワークを介して接続される端末装置であって、
前記端末装置は、
少なくとも前記出発駅と前記目的駅とを含む時刻表表示条件を設定する条件設定手段と、
前記経路探索サーバから送信された前記時刻表を表示する表示手段と、
を備えることを特徴とする端末装置。
【請求項２１】
経路探索用のネットワークデータを参照して出発地から目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、を備える経路探索サーバにネットワークを介して接続される端末装置であって、
前記端末装置は、
少なくとも前記出発地と前記目的地とを含む時刻表表示条件を設定する条件設定手段と、
前記経路探索サーバから送信された前記時刻表を表示する表示手段と、
を備えることを特徴とする端末装置。
【請求項２２】
少なくとも出発駅と目的駅とを含む時刻表表示条件を設定する条件設定手段と、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、
前記時刻表を表示する表示手段と、
を備えることを特徴とする経路探索装置。
【請求項２３】
少なくとも出発地と目的地とを含む時刻表表示条件を設定する条件設定手段と、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、
前記時刻表を表示する表示手段と、
を備えることを特徴とする経路探索装置。
【請求項２４】
少なくとも出発駅と目的駅とを含む時刻表表示条件を設定するステップと、
経路探索用のネットワークデータを参照して前記出発駅から前記目的駅までの最適交通機関経路を探索するステップと、
探索された前記最適交通機関経路の情報から前記出発駅の出発時刻を抽出し、前記出発時刻を時刻表形式に編集して時刻表を作成するステップと、
前記時刻表を表示するステップと、
を備えることを特徴とする時刻表編集方法。
【請求項２５】
少なくとも出発地と目的地とを含む時刻表表示条件を設定するステップと、
経路探索用のネットワークデータを参照して前記出発地から前記目的地までの少なくとも交通機関経路を含む最適全体経路を探索するステップと、
探索された前記最適全体経路の情報から前記出発地を出発する出発時刻を抽出し、前記出発時刻を時刻表形式に編集して時刻表を作成するステップと、
前記時刻表を表示するステップと、
を備えることを特徴とする時刻表編集方法。
【手続補正２】
【補正対象書類名】明細書
【補正対象項目名】０００１
【補正方法】変更
【補正の内容】
【０００１】
本発明は、交通機関を利用した交通機関経路を含む経路を探索する時刻表表示システム、に関するものであり、特に、出発地と目的地間の交通機関を利用した交通機関経路を含む複数の候補経路を探索し、出発地または出発地の最寄り駅の出発時刻を含む時刻表情報を編集して利用者独自の時刻表情報を提供できるようにした時刻表表示システム、経路探索サーバ、端末装置、経路探索装置および時刻表表示システムにおける時刻表編集方法に関するものである。
【手続補正３】
【補正対象書類名】明細書
【補正対象項目名】００２１
【補正方法】変更
【補正の内容】
【００２１】
前記課題を解決するために、本願の請求項１にかかる発明は、
少なくとも出発駅と目的駅とを含む時刻表表示条件を設定する条件設定手段と、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、
前記時刻表を表示する表示手段と、
を備えることを特徴とする。
本願の請求項２にかかる発明は、請求項１にかかる発明において、
前記最適交通機関経路探索手段は、前記最適交通機関経路として、
（Ａ）一の交通機関経路と同一時刻または前記一の交通機関経路よりも遅い時刻に前記出発駅を出発し、かつ前記一の交通機関経路よりも早い時刻に前記目的駅に到着する他の交通機関経路が存在しない前記一の交通機関経路、
（Ｂ）一の交通機関経路よりも遅い時刻に前記出発駅を出発し、かつ前記一の交通機関経路と同一時刻または前記一の交通機関経路よりも早い時刻に前記目的駅に到着する他の交通機関経路が存在しない前記一の交通機関経路、
の２つの条件を満たす前記一の交通機関経路を探索することを特徴とする。
本願の請求項３にかかる発明は、請求項１または請求項２にかかる発明において、
前記最適交通機関経路探索手段は、前記出発駅の所定の前記出発時刻からダイヤにより決定される所定時間間隔毎に前記最適交通機関経路を探索することを特徴とする。
本願の請求項４にかかる発明は、請求項１〜請求項３のいずれかにかかる発明において、
前記最適交通機関経路探索手段は、前記出発駅の所定の前記出発時刻に対して前記最適交通機関経路を探索し、次いで、１つ前に探索された前記最適交通機関経路の前記出発時刻を基準として、次の前記最適交通機関経路を探索することを特徴とする。
本願の請求項５にかかる発明は、請求項１〜請求項４のいずれかにかかる発明において、
前記条件設定手段は、前記時刻表表示条件として指定時間帯を設定し、
前記最適交通機関経路探索手段は、前記指定時間帯の始点を基準時刻として前記最適交通機関経路を探索し、前記基準時刻が前記指定時間帯の終点を超えた時に探索を打ち切ることを特徴とする。
【手続補正４】
【補正対象書類名】明細書
【補正対象項目名】００２２
【補正方法】変更
【補正の内容】
【００２２】
本願の請求項６にかかる発明は、請求項１〜請求項５のいずれかにかかる発明において、
前記条件設定手段は、前記出発駅と前記目的駅とを結ぶ交通機関の路線と必要に応じて交通機関の乗換駅とで構成される、少なくとも１つの交通機関経路の道筋を前記時刻表表示条件として設定する道筋設定手段を備えることを特徴とする。
【手続補正５】
【補正対象書類名】明細書
【補正対象項目名】００２３
【補正方法】変更
【補正の内容】
【００２３】
本願の請求項７にかかる発明は、請求項１〜請求項６のいずれかにかかる発明において、
前記最適交通機関経路探索手段は、前記出発駅と前記目的駅とを結ぶ交通機関の路線と必要に応じて交通機関の乗換駅とで構成される、複数の交通機関経路の道筋につき、前記最適交通機関経路を探索し、
前記時刻表編集手段は、前記複数の交通機関経路の道筋の前記最適交通機関経路につき、１つの時刻表形式に編集して前記時刻表を作成することを特徴とする。
【手続補正６】
【補正対象書類名】明細書
【補正対象項目名】００２４
【補正方法】変更
【補正の内容】
【００２４】
本願の請求項８にかかる発明は、請求項７にかかる発明において、
前記表示手段は、前記時刻表編集手段が前記複数の交通機関経路の道筋の前記最適交通機関経路について前記時刻表を編集した場合、異なる道筋の前記最適交通機関経路の前記出発時刻を互いに異なる表示態様で識別可能に表示することを特徴とする。
【手続補正７】
【補正対象書類名】明細書
【補正対象項目名】００２５
【補正方法】変更
【補正の内容】
【００２５】
本願の請求項９にかかる発明は、請求項１〜請求項８のいずれかにかかる発明において、
前記条件設定手段は、前記表示手段に表示する前記時刻表の時刻を所定時間だけ前の時刻にずらすためのオフセット時間を設定するオフセット時間設定手段を有し、
前記オフセット時間が設定された場合、前記時刻表編集手段は、探索された前記最適交通機関経路における前記出発駅の前記出発時刻から、前記オフセット時間だけ前の時刻にずらした時刻を、時刻表形式に編集して前記時刻表を作成することを特徴とする。
【手続補正８】
【補正対象書類名】明細書
【補正対象項目名】００２６
【補正方法】変更
【補正の内容】
【００２６】
本願の請求項１０にかかる発明は、請求項９にかかる発明において、
前記オフセット時間設定手段は、出発地設定手段と、出発地から出発駅までの所要時間を算出する時間算出手段とを備え、算出された所要時間を前記オフセット時間として設定することを特徴とする。
【手続補正９】
【補正対象書類名】明細書
【補正対象項目名】００２７
【補正方法】変更
【補正の内容】
【００２７】
本願の請求項１１にかかる発明は、
少なくとも出発地と目的地とを含む時刻表表示条件を設定する条件設定手段と、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、
前記時刻表を表示する表示手段と、
を備えることを特徴とする。
本願の請求項１２にかかる発明は、請求項１１にかかる発明において、
前記全体経路探索手段は、前記最適全体経路として、
（Ｃ）一の全体経路と同一時刻または前記一の全体経路よりも遅い時刻に出発地を出発し、かつ前記一の全体経路よりも早い時刻に目的地に到着する他の全体経路が存在しない前記一の全体経路、
（Ｄ）一の全体経路よりも遅い時刻に出発地を出発し、かつ前記一の全体経路と同一時刻または前記一の全体経路よりも早い時刻に目的地に到着する他の全体経路が存在しない前記一の全体経路、
の２つの条件を満たす前記一の全体経路を探索することを特徴とする。
本願の請求項１３にかかる発明は、請求項１１または請求項１２にかかる発明において、
前記全体経路探索手段は、前記出発地の所定の前記出発時刻から前記出発地の最寄り駅のダイヤにより決定される所定時間間隔毎に前記最適全体経路を探索することを特徴とする。
本願の請求項１４にかかる発明は、請求項１１〜請求項１３のいずれかにかかる発明において、
前記全体経路探索手段は、前記出発地の所定の前記出発時刻に対して前記最適全体経路を探索し、次いで、１つ前に探索された前記最適全体経路の前記出発時刻を基準として、次の前記最適全体経路を探索することを特徴とする。
本願の請求項１５にかかる発明は、請求項１１〜請求項１４のいずれかにかかる発明において、
前記条件設定手段は、前記時刻表表示条件として指定時間帯を設定し、
前記全体経路探索手段は、前記指定時間帯の始点を基準時刻として前記最適全体経路を探索し、前記基準時刻が前記指定時間帯の終点を超えた時に探索を打ち切ることを特徴とする。
【手続補正１０】
【補正対象書類名】明細書
【補正対象項目名】００２８
【補正方法】変更
【補正の内容】
【００２８】
本願の請求項１６にかかる発明は、請求項１〜請求項１５のいずれかにかかる発明において、
前記時刻表表示システムは、前記時刻表を記憶する時刻表記憶手段を備え、
前記表示手段は、前記時刻表記憶手段に記憶された前記時刻表を表示することを特徴とする。
【手続補正１１】
【補正対象書類名】明細書
【補正対象項目名】００２９
【補正方法】変更
【補正の内容】
【００２９】
本願の請求項１７にかかる発明は、請求項１６にかかる発明において、
前記時刻表表示システムは、前記表示手段に表示されている前記時刻表の前記各出発時刻に対して、ユーザが評価を付与することのできる評価付与手段を備え、
前記時刻表記憶手段は、前記時刻表とともに前記評価を記憶し、
前記表示手段は、前記時刻表記憶手段に記憶された前記時刻表を表示する際に、前記評価が付与されている前記出発時刻に対し、前記評価が付与されている旨、前記評価自体の少なくとも一方を関連づけて表示することを特徴とする。
【手続補正１２】
【補正対象書類名】明細書
【補正対象項目名】００３０
【補正方法】変更
【補正の内容】
【００３０】
本願の請求項１８にかかる発明は、
少なくとも出発駅と目的駅とを含む時刻表表示条件を設定する条件設定手段と、編集された時刻表を表示する表示手段と、を備えた端末装置にネットワークを介して接続され、前記端末装置に経路探索結果を送信する経路探索サーバであって、
前記経路探索サーバは、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して前記時刻表を作成する時刻表編集手段と、
を備えることを特徴とする。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】変更
【補正の内容】
【００３３】
本願の請求項１９にかかる発明は、
少なくとも出発地と目的地とを含む時刻表表示条件を設定する条件設定手段と、編集された時刻表を表示する表示手段と、を備えた端末装置にネットワークを介して接続され、前記端末装置に経路探索結果を送信する経路探索サーバであって、
前記経路探索サーバは、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して前記時刻表を作成する時刻表編集手段と、
を備えることを特徴とする。
【手続補正１６】
【補正対象書類名】明細書
【補正対象項目名】００３４
【補正方法】変更
【補正の内容】
【００３４】
また、本願の請求項２０にかかる発明は、
経路探索用のネットワークデータを参照して出発駅から目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、を備える経路探索サーバにネットワークを介して接続される端末装置であって、
前記端末装置は、
少なくとも前記出発駅と前記目的駅とを含む時刻表表示条件を設定する条件設定手段と、
前記経路探索サーバから送信された前記時刻表を表示する表示手段と、
を備えることを特徴とする。
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】変更
【補正の内容】
【００３９】
本願の請求項２１にかかる発明は、
経路探索用のネットワークデータを参照して出発地から目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、を備える経路探索サーバにネットワークを介して接続される端末装置であって、
前記端末装置は、
少なくとも前記出発地と前記目的地とを含む時刻表表示条件を設定する条件設定手段と、
前記経路探索サーバから送信された前記時刻表を表示する表示手段と、
を備えることを特徴とする。
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】変更
【補正の内容】
【００４２】
また、本願の請求項２２にかかる発明は、
少なくとも出発駅と目的駅とを含む時刻表表示条件を設定する条件設定手段と、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、
前記時刻表を表示する表示手段と、
を備えることを特徴とする。
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】変更
【補正の内容】
【００４８】
本願の請求項２３にかかる発明は、
少なくとも出発地と目的地とを含む時刻表表示条件を設定する条件設定手段と、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、
前記時刻表を表示する表示手段と、
を備えることを特徴とする。
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】変更
【補正の内容】
【００５１】
また、本願の請求項２４にかかる発明は、
少なくとも出発駅と目的駅とを含む時刻表表示条件を設定するステップと、
経路探索用のネットワークデータを参照して前記出発駅から前記目的駅までの最適交通機関経路を探索するステップと、
探索された前記最適交通機関経路の情報から前記出発駅の出発時刻を抽出し、前記出発時刻を時刻表形式に編集して時刻表を作成するステップと、
前記時刻表を表示するステップと、
を備えることを特徴とする。
【手続補正３４】
【補正対象書類名】明細書
【補正対象項目名】００５２
【補正方法】削除
【補正の内容】
【手続補正３５】
【補正対象書類名】明細書
【補正対象項目名】００５３
【補正方法】削除
【補正の内容】
【手続補正３６】
【補正対象書類名】明細書
【補正対象項目名】００５４
【補正方法】削除
【補正の内容】
【手続補正３７】
【補正対象書類名】明細書
【補正対象項目名】００５５
【補正方法】削除
【補正の内容】
【手続補正３８】
【補正対象書類名】明細書
【補正対象項目名】００５６
【補正方法】削除
【補正の内容】
【手続補正３９】
【補正対象書類名】明細書
【補正対象項目名】００５７
【補正方法】変更
【補正の内容】
【００５７】
本願の請求項２５にかかる発明は、
少なくとも出発地と目的地とを含む時刻表表示条件を設定するステップと、
経路探索用のネットワークデータを参照して前記出発地から前記目的地までの少なくとも交通機関経路を含む最適全体経路を探索するステップと、
探索された前記最適全体経路の情報から前記出発地を出発する出発時刻を抽出し、前記出発時刻を時刻表形式に編集して時刻表を作成するステップと、
前記時刻表を表示するステップと、
を備えることを特徴とする。
【手続補正４０】
【補正対象書類名】明細書
【補正対象項目名】００５８
【補正方法】削除
【補正の内容】
【手続補正４１】
【補正対象書類名】明細書
【補正対象項目名】００５９
【補正方法】削除
【補正の内容】
【手続補正４２】
【補正対象書類名】明細書
【補正対象項目名】００６０
【補正方法】変更
【補正の内容】
【００６０】
上記の構成により、本発明は以下に示すような優れた効果を奏する。すなわち、請求項１に記載の経路探索システムの発明よれば、
少なくとも出発駅と目的駅とを含む時刻表表示条件を設定する条件設定手段と、
経路探索用のネットワークデータを参照して前記出発駅から前記目的駅までの最適交通機関経路を探索する最適交通機関経路探索手段と、
探索された前記最適交通機関経路の情報から前記出発駅の出発時刻を抽出し、前記出発時刻を時刻表形式に編集して時刻表を作成する時刻表編集手段と、
前記時刻表を表示する表示手段と、
を備えることを特徴とする。
【手続補正４３】
【補正対象書類名】明細書
【補正対象項目名】００６１
【補正方法】変更
【補正の内容】
【００６１】
かかる構成によれば、時刻表編集手段は、ユーザが設定した時刻表表示条件に合致する交通機関経路のみの出発駅の出発時刻表を編集して表示することができるようになる。
請求項２にかかる発明においては、請求項１にかかる発明において、前記最適交通機関経路探索手段は、前記最適交通機関経路として、
（Ａ）一の交通機関経路と同一時刻または前記一の交通機関経路よりも遅い時刻に前記出発駅を出発し、かつ前記一の交通機関経路よりも早い時刻に前記目的駅に到着する他の交通機関経路が存在しない前記一の交通機関経路、
（Ｂ）一の交通機関経路よりも遅い時刻に前記出発駅を出発し、かつ前記一の交通機関経路と同一時刻または前記一の交通機関経路よりも早い時刻に前記目的駅に到着する他の交通機関経路が存在しない前記一の交通機関経路、
の２つの条件を満たす前記一の交通機関経路を探索する。
請求項３にかかる発明においては、請求項１または請求項２にかかる発明において、前記最適交通機関経路探索手段は、前記出発駅の所定の前記出発時刻からダイヤにより決定される所定時間間隔毎に前記最適交通機関経路を探索する。
請求項４にかかる発明においては、請求項１〜請求項３のいずれか１項にかかる発明において、前記最適交通機関経路探索手段は、前記出発駅の所定の前記出発時刻に対して前記最適交通機関経路を探索し、次いで、１つ前に探索された前記最適交通機関経路の前記出発時刻を基準として、次の前記最適交通機関経路を探索する。
請求項５にかかる発明においては、請求項１〜請求項４のいずれか１項にかかる発明において、前記条件設定手段は、前記時刻表表示条件として指定時間帯を設定し、前記最適交通機関経路探索手段は、前記指定時間帯の始点を基準時刻として前記最適交通機関経路を探索し、前記基準時刻が前記指定時間帯の終点を超えた時に探索を打ち切る。
【手続補正４４】
【補正対象書類名】明細書
【補正対象項目名】００６２
【補正方法】変更
【補正の内容】
【００６２】
また、請求項６にかかる発明においては、請求項１〜請求項５のいずれか１項にかかる発明において、前記条件設定手段は、前記出発駅と前記目的駅とを結ぶ交通機関の路線と必要に応じて交通機関の乗換駅とで構成される、少なくとも１つの交通機関経路の道筋を前記時刻表表示条件として設定する道筋設定手段を備える。
【手続補正４５】
【補正対象書類名】明細書
【補正対象項目名】００６３
【補正方法】変更
【補正の内容】
【００６３】
かかる構成によれば、乗換えを含む交通機関経路を条件として設定し、ユーザが設定した時刻表表示条件に合致する交通機関経路のみの出発駅の出発時刻表を編集して表示することができるようになる。
【手続補正４６】
【補正対象書類名】明細書
【補正対象項目名】００６４
【補正方法】変更
【補正の内容】
【００６４】
また、請求項７にかかる発明においては、請求項１〜請求項６のいずれか１項にかかる発明において、前記最適交通機関経路探索手段は、前記出発駅と前記目的駅とを結ぶ交通機関の路線と必要に応じて交通機関の乗換駅とで構成される、複数の交通機関経路の道筋につき、前記最適交通機関経路を探索し、前記時刻表編集手段は、前記複数の交通機関経路の道筋の前記最適交通機関経路につき、１つの時刻表形式に編集して前記時刻表を作成する。
【手続補正４７】
【補正対象書類名】明細書
【補正対象項目名】００６６
【補正方法】変更
【補正の内容】
【００６６】
また、請求項８にかかる発明においては、請求項７にかかる発明において、前記表示手段は、前記時刻表編集手段が前記複数の交通機関経路の道筋の前記最適交通機関経路について前記時刻表を編集した場合、異なる道筋の前記最適交通機関経路の前記出発時刻を互いに異なる表示態様で識別可能に表示する。
【手続補正４８】
【補正対象書類名】明細書
【補正対象項目名】００６８
【補正方法】変更
【補正の内容】
【００６８】
また、請求項９にかかる発明においては、請求項１〜請求項８のいずれか１項にかかる発明において、前記条件設定手段は、前記表示手段に表示する前記時刻表の時刻を所定時間だけ前の時刻にずらすためのオフセット時間を設定するオフセット時間設定手段を有し、
前記オフセット時間が設定された場合、前記時刻表編集手段は、探索された前記最適交通機関経路における前記出発駅の前記出発時刻から、前記オフセット時間だけ前の時刻にずらした時刻を、時刻表形式に編集して前記時刻表を作成する。
【手続補正４９】
【補正対象書類名】明細書
【補正対象項目名】００７０
【補正方法】変更
【補正の内容】
【００７０】
また、請求項１０にかかる発明においては、請求項９にかかる発明において、前記オフセット時間設定手段は、出発地設定手段と、出発地から出発駅までの所要時間を算出する時間算出手段とを備え、算出された所要時間を前記オフセット時間として設定する。
【手続補正５０】
【補正対象書類名】明細書
【補正対象項目名】００７２
【補正方法】変更
【補正の内容】
【００７２】
また、請求項１１にかかる発明においては、
少なくとも出発地と目的地とを含む時刻表表示条件を設定する条件設定手段と、
経路探索用のネットワークデータを参照して前記出発地から前記目的地までの少なくとも交通機関経路を含む最適全体経路を探索する全体経路探索手段と、
探索された前記最適全体経路の情報から前記出発地を出発する出発時刻を抽出し、前記出発時刻を時刻表形式に編集して時刻表を作成する時刻表編集手段と、
前記時刻表を表示する表示手段と、
を備える。
【手続補正５１】
【補正対象書類名】明細書
【補正対象項目名】００７３
【補正方法】変更
【補正の内容】
【００７３】
かかる構成によれば、時刻表編集手段は、出発地から出発駅まで、および、目的駅から目的地までの徒歩経路の区間を含み、ユーザが設定した時刻表表示条件に合致する交通機関経路のみの出発地の出発時刻表を編集して表示することができるようになる。
請求項１２にかかる発明においては、請求項１１にかかる発明において、前記全体経路探索手段は、前記最適全体経路として、
（Ｃ）一の全体経路と同一時刻または前記一の全体経路よりも遅い時刻に出発地を出発し、かつ前記一の全体経路よりも早い時刻に目的地に到着する他の全体経路が存在しない前記一の全体経路、
（Ｄ）一の全体経路よりも遅い時刻に出発地を出発し、かつ前記一の全体経路と同一時刻または前記一の全体経路よりも早い時刻に目的地に到着する他の全体経路が存在しない前記一の全体経路、
の２つの条件を満たす前記一の全体経路を探索する。
請求項１３にかかる発明においては、請求項１１または請求項１２にかかる発明において、前記全体経路探索手段は、前記出発地の所定の前記出発時刻から前記出発地の最寄り駅のダイヤにより決定される所定時間間隔毎に前記最適全体経路を探索する。
請求項１４にかかる発明においては、請求項１１〜請求項１３のいずれか１項にかかる発明において、前記全体経路探索手段は、前記出発地の所定の前記出発時刻に対して前記最適全体経路を探索し、次いで、１つ前に探索された前記最適全体経路の前記出発時刻を基準として、次の前記最適全体経路を探索する。
請求項１５にかかる発明においては、請求項１１〜請求項１４のいずれか１項にかかる発明において、前記条件設定手段は、前記時刻表表示条件として指定時間帯を設定し、前記全体経路探索手段は、前記指定時間帯の始点を基準時刻として前記最適全体経路を探索し、前記基準時刻が前記指定時間帯の終点を超えた時に探索を打ち切る。
【手続補正５２】
【補正対象書類名】明細書
【補正対象項目名】００７４
【補正方法】変更
【補正の内容】
【００７４】
また、請求項１６にかかる発明においては、請求項１〜請求項１５のいずれか１項にかかる発明において、前記時刻表表示システムは、前記時刻表を記憶する時刻表記憶手段を備え、前記表示手段は、前記時刻表記憶手段に記憶された前記時刻表を表示する。
【手続補正５３】
【補正対象書類名】明細書
【補正対象項目名】００７６
【補正方法】変更
【補正の内容】
【００７６】
また、請求項１７にかかる発明においては、請求項１６にかかる発明において、前記時刻表表示システムは、前記表示手段に表示されている前記時刻表の前記各出発時刻に対して、ユーザが評価を付与することのできる評価付与手段を備え、前記時刻表記憶手段は、前記時刻表とともに前記評価を記憶し、前記表示手段は、前記時刻表記憶手段に記憶された前記時刻表を表示する際に、前記評価が付与されている前記出発時刻に対し、前記評価が付与されている旨、前記評価自体の少なくとも一方を関連づけて表示する。
【手続補正５４】
【補正対象書類名】明細書
【補正対象項目名】００７８
【補正方法】変更
【補正の内容】
【００７８】
また、請求項１８、１９にかかる発明においては、請求項１〜１７にかかる時刻表表示システムを構成する経路探索サーバが提供できるようになり、請求項２０、２１にかかる発明においては、請求項１〜１７にかかる時刻表表示システムを構成する端末装置を提供することができるようになる。また、請求項２２、２３にかかる発明においては、請求項１〜１７にかかる時刻表表示システムをスタンドアロンで実現する経路探索装置を提供することができ、請求項２４、２５にかかる発明においては、請求項１〜１７にかかる時刻表表示システムにおける時刻表編集方法を提供することができるようになる。
【手続補正５５】
【補正対象書類名】明細書
【補正対象項目名】００８３
【補正方法】変更
【補正の内容】
【００８３】
図２は、図１に示す時刻表表示システム１０の詳細な構成を示すブロック図である。本発明の実施例にかかる時刻表表示システム１０は、図２のブロック図に示すようにインターネット等のネットワーク１２を介して通信する端末装置２０と、経路探索サーバ３０と、情報配信サーバ５０を備えて構成されている。
【手続補正５６】
【補正対象書類名】明細書
【補正対象項目名】０１０５
【補正方法】変更
【補正の内容】
【０１０５】
次に、図５を参照して、本発明の実施例１にかかる時刻表表示システム１０における経路探索と固有時刻表の作成について説明する。なお、図５は、時刻表表示システムにおける経路探索と固有時刻表の作成についての動作を示したフローチャートである。本実施例１にかかる時刻表表示システム１０においては、端末装置２０のユーザが、出発駅、目的駅および所望の経由駅を入力、設定して交通機関経路の道筋を決定し、決定された道筋について最適交通機関経路探索を行い、その結果に基づいて時刻表表示を行う。
【手続補正５７】
【補正対象書類名】明細書
【補正対象項目名】０１０６
【補正方法】変更
【補正の内容】
【０１０６】
端末装置２０は、操作入力手段２６を用いて、少なくとも出発駅と目的駅と、所望の経由駅を含む時刻表表示条件を設定する。この場合、操作入力手段２６は時刻表の表示条件を設定する条件設定手段として機能する。端末装置２０は設定された時刻表表示条件を経路探索サーバ３０に経路探索要求として送信する。経路探索サーバ３０はステップＳ１０１において、時刻表表示条件を含む経路探索要求を受信する。
【手続補正５８】
【補正対象書類名】明細書
【補正対象項目名】０１０７
【補正方法】変更
【補正の内容】
【０１０７】
端末装置２０からの経路探索要求を受信すると、経路探索サーバ３０において、経路探索手段３３は、経路探索用のネットワークデータを参照して出発駅から目的駅までの最適交通機関経路を探索する。この場合、経路探索手段３３は、以下のような探索を行う最適交通機関経路探索手段として機能する。すなわち、最適交通機関経路探索手段は、最適交通機関経路として、（Ａ）その交通機関経路と同一時刻またはその交通機関経路よりも遅い時刻に出発駅を出発し、かつその交通機関経路よりも早い時刻に目的駅に到着する他の交通機関経路が存在しない交通機関経路、（Ｂ）その交通機関経路よりも遅い時刻に出発駅を出発し、かつその交通機関経路と同一時刻またはその交通機関経路よりも早い時刻に目的駅に到着する他の交通機関経路が存在しない交通機関経路、の２つの条件を両方とも満たす交通機関経路を探索する（ステップＳ１０２）。
【手続補正５９】
【補正対象書類名】明細書
【補正対象項目名】０１０９
【補正方法】変更
【補正の内容】
【０１０９】
ステップＳ１０２で探索される最適交通機関経路は、その交通機関経路と同一時刻またはその交通機関経路よりも遅い時刻に出発駅を出発し、かつその交通機関経路よりも早い時刻に目的駅に到着する他の交通機関経路が存在しない交通機関経路、および、その交通機関経路よりも遅い時刻に出発駅を出発し、かつその交通機関経路と同一時刻またはその交通機関経路よりも早い時刻に目的駅に到着する他の交通機関経路が存在しない交通機関経路の２つの条件を満たす交通機関経路であるから、ユーザが設定した時刻表表示条件に合致し、かつユーザにとって無駄な時間が生じない交通機関経路の出発駅の出発時刻表を編集して表示することができるようになる。
【手続補正６０】
【補正対象書類名】明細書
【補正対象項目名】０１１０
【補正方法】変更
【補正の内容】
【０１１０】
このような探索は具体的には、次のように行うことができる。すなわち、同一時刻またはその交通機関経路よりも遅い時刻に出発駅を出発し、かつその交通機関経路よりも早い時刻に目的駅に到着する他の候補交通機関経路がなく、また、遅い時刻に出発駅を出発し、かつその交通機関経路と同一時刻またはその交通機関経路よりも早い時刻に目的駅に到着する他の候補交通機関経路がない候補交通機関経路を判別しその交通機関経路を最適交通機関経路とすればよい。
【手続補正６１】
【補正対象書類名】明細書
【補正対象項目名】０１１５
【補正方法】変更
【補正の内容】
【０１１５】
したがって、上記の実施例にかかる時刻表表示システムによれば、時刻表編集手段は、出発駅から目的駅までの交通機関経路の道筋の全体（経路全体）を考慮した最適交通機関経路探索の結果、時刻表編集手段は、ユーザが設定した時刻表表示条件に合致し、かつユーザにとって無駄な時間の生じない交通機関経路の出発駅出発時刻表を編集して表示することができるようになる。
【手続補正６２】
【補正対象書類名】明細書
【補正対象項目名】０１２０
【補正方法】変更
【補正の内容】
【０１２０】
実施例１にかかる時刻表表示システム１０においては、端末装置２０のユーザが、出発駅、目的駅および所望の経由駅を入力、設定して交通機関経路の道筋を決定し、決定された道筋について最適交通機関経路探索を行い、その結果に基づいて時刻表表示を行うものであった。本実施例２にかかる時刻表表示システム１０においては、出発駅と目的駅を含む時刻表表示条件に基づいて、複数の交通機関経路の道筋を通る候補経路を探索し、それら候補経路の道筋からユーザが特定の１以上の道筋を決定し、決定された道筋について最適交通機関経路探索を行う。
【手続補正６３】
【補正対象書類名】明細書
【補正対象項目名】０１２９
【補正方法】変更
【補正の内容】
【０１２９】
第２は、出発地から目的地までの、経路探索手段３３において、最適交通機関経路と、徒歩経路とを含む全体経路を探索し、時刻表編集手段は、探索された全体経路における出発地を出発する出発時刻を特定し時刻表形式に編集する方法である。この場合、経路探索手段３３は全体経路探索手段として機能する。
【手続補正６４】
【補正対象書類名】明細書
【補正対象項目名】０１３０
【補正方法】変更
【補正の内容】
【０１３０】
ここで、ステップＳ５０８における固有時刻表の作成について図７〜図１４を参照して詳細に説明する。
図７は、本発明にかかる固有時刻表の編集のための最適交通機関経路を説明するための第１の例を示す模式図であり、ある時間帯に目的地に到着すように経路探索された最適交通機関経路の１例を示している。ユーザは、上記のステップＳ５０１で説明したように、端末装置２０において操作入力手段２６を用いて、所望の出発地Ｓ、目的地Ｇ、時刻条件、更には、徒歩区間が最短、乗換え回数が最小、運賃が最小等の条件を設定して経路探索サーバ３０に経路探索を要求する。例えば、出発地Ｓはユーザの勤務先であり、目的地Ｇは得意先であり、時刻条件は目的地Ｇへの到着時刻であり、午前１０時から午後４時まで、１時間毎の時間帯に到着する最適交通機関経路を探索して、ユーザ固有の時刻表を編集する例をとり、以下の説明を進める。
【手続補正６５】
【補正対象書類名】明細書
【補正対象項目名】０１３２
【補正方法】変更
【補正の内容】
【０１３２】
ここで、ユーザが第１経路についてＡ駅を出発する他の列車の時刻表を表示する場合、端末装置２０の表示手段２５に表示される経路において、従来は、Ａ駅、Ｘ路線を指定し、図８（ａ）に示すような駅時刻表を表示させていた。なお、図８（ａ）は、図７のＡ駅、Ｘ路線における従来型の駅時刻表である。この場合に表示される駅時刻表は、当然にＸ路線におけるＡ駅を発車するすべての列車の発車時刻、行き先等の情報から構成されている。また、ユーザが第２経路についてＡ駅を出発するＳ路線の列車の発車時刻を調べたい場合には、Ｓ路線を指定し、図８（ｂ）に示すような駅時刻表を表示させていた。なお、図８（ｂ）は、図７のＡ駅、Ｓ路線における従来型の駅時刻表である。この時刻表はＳ路線におけるＡ駅を発車するすべての列車の発車時刻、行き先等の情報から構成されている。この場合、先に表示されたＡ駅、Ｘ路線の時刻表の表示データは失われてしまっていた。なお、図８では、駅時刻表の時刻は１１時〜１時台までの時刻帯のみが表示されているが、実際には、その他の時刻帯の出発時刻も表示されている。
【手続補正６６】
【補正対象書類名】明細書
【補正対象項目名】０１３３
【補正方法】変更
【補正の内容】
【０１３３】
本発明では、経路探索の結果を反映させた形式での時刻表表示を行うことができる。図９は、図７のＡ駅における固有時刻表の一例を示すが、出発地を出発地Ｓ、目的地を目的地Ｇとし、到着時刻を１２時〜２時に設定して最適交通機関経路を探索した結果に基づいて時刻表表示を行うようにしたものである。ここで、出発地ＳからＡ駅までは徒歩で１０分かかり、Ａ駅からＸ路線を使用してＣ駅までは列車で３５分間かかる。また、Ａ駅からＳ路線を使用してＣ駅に達する場合も３５分間かかり、さらにＣ駅から徒歩で５分間歩いて目的地Ｇに達する。従って、図９では、目的地Ｇにおける到着時刻から４０分を差し引いた１１時２０分〜１時２０分の間にＡ駅を出発するＸ路線、Ｓ路線の列車の出発時刻が時刻データ抽出手段３４によって抽出され、固有時刻表編集手段３６によって固有時刻表として編集される。ステップＳ５０９において、この固有時刻表のデータは端末装置２０に送信され、ステップＳ５１０において端末装置２０において固有時刻表の表示要求があると判定された場合には、ステップＳ５１１において、これらの時刻が一つの表に統合された固有時刻表が表示される。
【手続補正６７】
【補正対象書類名】明細書
【補正対象項目名】０１４５
【補正方法】変更
【補正の内容】
【０１４５】
同様に、Ｄ駅からＣ駅で下車して目的地Ｇに向かう場合の所要時間は３０分であるから、Ｄ駅を１１時２５分、４８分、１２時２７分に出発する列車に乗車すれば２時までに目的地Ｇに到着できる。１時３２分の列車に乗車した場合は、目的地Ｇに到着するのが２時過ぎになってしまうので、探索結果として採用されない。上記の３本の列車にタイミングよく接続するＳ路線の列車を探索すると、Ａ駅を１１時１３分、３３分、１２時５分の３本の列車が探索結果として得られる。ステップＳ５０７においてこれらの時刻データは時刻データ抽出手段３４が経路探索結果と時刻表・運賃データＤＢ３から抽出し、固有時刻表編集手段３５が固有時刻表の形式に編集し、ステップＳ５０９において端末装置２０に送信し、固有時刻表記憶手段２４に記憶する。